(57)【特許請求の範囲】
【請求項１】
１つ又は複数のセルラー通信装置と通信するように動作可能なネットワーク通信ノードであって、
第１の近傍セルリストを含む第１の測定制御コマンドを出力する手段と、
前記第１の測定制御コマンドに対する前記セルラー通信装置からの測定報告が無い場合に、第２の近傍セルリストを含む第２の測定制御コマンドを出力する手段と、
前記第２の測定制御コマンドを出力した後、前記第１の近傍セルリストに含まれるが前記第２の近傍セルリストに含まれないセルのセル測定値を含む測定報告を前記セルラー通信装置から受信する手段と、
を備え、
前記第２の測定制御コマンドを出力した後、もはや前記第２の近傍セルリストに含まれないセルのセル測定値をも受け入れ、これらのセル測定値をも用いて最良のハンドオーバターゲットを求めることができるように構成されているネットワーク通信ノード。
【請求項２】
前記受信する手段は、前記第１の近傍セルリストに含まれるセルのセル測定値及び前記第２の近傍セルリストに含まれるセルのセル測定値を含む測定報告を受信するように動作可能である、請求項１に記載のネットワーク通信ノード。
【請求項３】
前記第２の近傍セルリストに含まれるセルは前記第１の近傍セルリストに含まれるセルと異なる、請求項１又は２に記載のネットワーク通信ノード。
【請求項４】
前記受信する手段は、前記第１の近傍セルリスト及び前記第２の近傍セルリスト内の全てのセルのセル測定値を含む単一の測定報告を受信するように動作可能である、請求項１〜３のいずれか１項に記載のネットワーク通信ノード。
【請求項５】
前記受信する手段は、一連の測定報告を受信するように動作可能であり、該測定報告はそれぞれ、前記第１の近傍セルリスト及び前記第２の近傍セルリスト内の前記セルのサブセットのセル測定値を含む、請求項１〜３のいずれか１項に記載のネットワーク通信ノード。
【請求項６】
１つ又は複数のさらなる測定制御コマンドを送信するように動作可能であり、前記受信する手段は、前記１つ又は複数のさらなる測定制御コマンドを送信した後、前記第１の近傍セルリストに含まれるセルのセル測定値を含む前記測定報告を受信するように動作可能である、請求項１〜５のいずれか１項に記載のネットワーク通信ノード。
【請求項７】
前記受信した測定報告内の前記セル測定値を用いてハンドオーバ手順のためのターゲットネットワーク通信ノードを求める手段を備える、請求項１〜６のいずれか１項に記載のネットワーク通信ノード。
【請求項８】
前記第２の近傍セルリストの出力後に前記第１の近傍セルリストを維持する手段を備える、
請求項１〜７のいずれか１項に記載のネットワーク通信ノード。
【請求項９】
１つ又は複数のセルラー通信装置と通信するネットワーク通信ノードによって実行される方法であって、
第１の近傍セルリストを含む第１の測定制御コマンドを出力すること、
前記第１の測定制御コマンドに対する前記セルラー通信装置からの測定報告が無い場合に、第２の近傍セルリストを含む第２の測定制御コマンドを出力すること、
前記第２の測定制御コマンドを出力した後、前記第１の近傍セルリストに含まれるが前記第２の近傍セルリストに含まれないセルのセル測定値を含む測定報告を前記セルラー通信装置から受信すること、を含み、
前記第２の測定制御コマンドを出力した後、もはや前記第２の近傍セルリストに含まれないセルのセル測定値をも受け入れ、これらのセル測定値をも用いて最良のハンドオーバターゲットを求める、方法。
【請求項１０】
前記受信することは、前記第１の近傍セルリストに含まれるセルのセル測定値及び前記第２の近傍セルリストに含まれるセルのセル測定値を含む測定報告を受信する、請求項９に記載の方法。
【請求項１１】
前記第２の近傍セルリストに含まれる前記セルは前記第１の近傍セルリストに含まれる前記セルと異なる、請求項９又は１０に記載の方法。
【請求項１２】
前記受信することは、前記第１の近傍セルリスト及び前記第２の近傍セルリスト内の全てのセルのセル測定値を含む単一の測定報告を受信する、請求項９〜１１のいずれか１項に記載の方法。
【請求項１３】
前記受信することは、一連の測定報告を受信し、該測定報告はそれぞれ、前記第１の近傍セルリスト及び前記第２の近傍セルリスト内の前記セルのサブセットのセル測定値を含む、請求項９〜１１のいずれか１項に記載の方法。
【請求項１４】
１つ又は複数のさらなる測定制御コマンドを送信することをさらに含み、前記受信することは、該１つ又は複数のさらなる測定制御コマンドを送信した後、前記第１の近傍セルリストに含まれるセルのセル測定値を含む前記測定報告を受信する、請求項９〜１３のいずれか１項に記載の方法。
【請求項１５】
前記受信した測定報告内の前記セル測定値を用いてハンドオーバ手順のためのターゲットネットワーク通信ノードを求めることを含む、請求項９〜１４のいずれか１項に記載の方法。
【請求項１６】
前記第２の近傍セルリストの出力後に前記第１の近傍セルリストを維持することを含む、請求項９〜１５のいずれか１項に記載の方法。
【請求項１７】
１つ又は複数のセルラー通信装置と通信するように動作可能なネットワーク通信ノードであって、
第１の近傍セルリストを含む第１の測定制御コマンドを出力するように動作可能であると共に、前記第１の測定制御コマンドに対する前記セルラー通信装置からの測定報告が無い場合に、第２の近傍セルリストを含む第２の測定制御コマンドを出力するように動作可能な送受信機と、
前記第２の測定制御コマンドを出力した後、前記第１の近傍セルリストに含まれるが前記第２の近傍セルリストに含まれないセルのセル測定値を含む測定報告を前記セルラー通信装置から受信するプロセッサと、
を備え、
前記第２の測定制御コマンドを出力した後、もはや前記第２の近傍セルリストに含まれないセルのセル測定値をも受け入れ、これらのセル測定値をも用いて最良のハンドオーバターゲットを求めることができるように構成されているネットワーク通信ノード。
【請求項１８】
プログラム可能なコンピューター装置に請求項９に記載の方法を実行させるためのコンピューター実施可能命令を含むプログラム。
【発明の詳細な説明】
【技術分野】
【０００１】
本発明は、セルラー通信装置に関する。本発明は、特に、ＧＳＭ標準規格、ＵＴＲＡＮ標準規格、及びＵＴＲＡＮのロングタームエボリューション（ＬＴＥ）（発展型ユニバーサル陸上無線アクセスネットワーク（Ｅ−ＵＴＲＡＮ）と呼ばれる）標準規格等の、ＥＴＳＩ及び３ＧＰＰの標準規格に従って動作するセルラー装置に関連する。
【０００２】
本出願は、２００９年３月３０日に出願された英国特許出願第０９０５３９５．０号に基づくと共に該特許出願からの優先権の利益を主張する。該特許出願の開示は参照によりその全体が本明細書に援用される。
【背景技術】
【０００３】
ユーザー機器（ＵＥ）が電話網を介して他のユーザー機器と通信することを可能にするさまざまな動作周波数及びプロトコルを規定するＧＳＭ、ＵＭＴＳ、ＬＴＥ等の多数の異なるセルラー電話標準規格が存在する。多くのＵＥは、多数のこれらの異なる標準規格を用いて動作することができ、通常、最良の信号強度及び最良のサービスレベルを提供するネットワークノードに登録する。しかしながら、ＵＥが移動すると、該ＵＥは異なる技術を用いて動作している場合がある、異なるネットワークノードに自身を再登録することになる。たとえば、ＵＥは最初にＬＴＥネットワークノードに登録される場合があり、該ノードのカバレッジからＵＭＴＳネットワークノードのセルカバレッジに移動する場合がある。ＵＥはハンドオーバ中に無線アクセス技術（ＲＡＴ）を切り換えるので、そのようなハンドオーバ手順は「ＲＡＴ間」ハンドオーバと呼ばれる。現在の３ＧＰＰ標準規格によれば、ＵＥがいつ別のネットワークノードにハンドオーバするべきかを求めるのはネットワークノードの役割である。ネットワークノードは、該ネットワークによってＵＥに提供される複数の候補近傍セル（近傍セルリストにおいて規定される）について、ＵＥによって提供される測定値に基づいてこの決定を行う。
【０００４】
基地局等のネットワークノードが、該ネットワークノードに登録されたユーザー機器（ＵＥ）の能力及び現在のステータスを知っていること、及びしたがって、ネットワークノードがトラフィックギャップを（技術に依拠して直接的に又は間接的に）管理して、ＵＥに、測定を行い対応する測定報告をネットワークノードに送信する時間を与えることができることが仮定される。ＵＥが規定の報告時間内に測定報告を送信しない場合、ネットワークノードは、候補セルがＵＥに認識できないと仮定することができ、即座に候補セルリストを変更することができ、新たなセルリストをＵＥに送信する。現在の標準規格は、ＵＥが最も近時のコマンドに従うことを要求するので、ＵＥは元のセルリストを廃棄することになり、新たなセルリストに関して測定を開始することになる。
【０００５】
しかしながら、この手順に伴う問題がわかっている。特に、ネットワークノードがＵＥマルチモード能力を過大評価している場合、又は報告されたＵＥ能力がその時点のリアルタイムの環境にマッチしていない場合、ネットワークノードは過度に短い報告期間を規定する場合がある。結果として、ＵＥは測定を行い規定の時間内に結果を報告するのに十分な時間を有しない場合がある。したがって、本発明者らは、最も近時の定期的な測定コマンドに厳密に従うことによってハンドオーバが準最適なものとなるおそれがあることに気がついた。たとえば、最良のセルが元のセルリスト内にある場合であっても、ネットワークノードが新たなセルリストを発行すると、その最良のセルはハンドオーバ決定から除外されてしまう。将来的に、ＲＡＴの数が増加し、ＵＥ能力とネットワーク機能との組合せが増大するにつれ、ネットワークはさらに一層「誤解する」可能性が高くなり、ネットワークは、特定のＵＥによる測定がいつ可能になるはずであるかを正確に予測することができない場合がある。１つの解決策は、ＵＥにより長い報告期間を与えることであるが、これは効率性が下がることを意味することになる。
【発明の概要】
【０００６】
本発明は、上記の状況において、少なくとも全てのセルを一度検討するまで、ＵＥが元の近傍セルリストを用いて動作し続けることを可能にすることを提案する。後続のセルリストは無視されず、ＵＥは双方のリストからのセルの測定値を報告するように構成することができる。ネットワークノードはもはや現在のセルリストにないセルの測定値も受け入れるように構成されなくてはならない。このオプションは、ＵＥが元のセルリストの全ての測定を完了したか又は少なくとも完了を試みた時点に限定することができる。
【０００７】
１つの態様によれば、本発明は、セルラー通信装置であって、第１の近傍セルリストを含む第１の測定制御コマンドを受信する手段と、第２の近傍セルリストを含む第２の測定制御コマンドを受信する手段と、受信したセルリストにおいて特定されたセルのセル測定値を得る手段と、前記第２の測定制御コマンドを受信した後、前記第１のセルリストに含まれるが前記第２のセルリストに含まれないセルのセル測定値を含む測定報告を生成する手段と、を備える、セルラー通信装置を提供する。前記セルラー通信装置がネットワークに遅れをとる場合、該セルラー通信装置を、３つ以上のリストのセルの測定値を維持及び取得するように構成することができる。
【０００８】
１つの実施の形態において、前記生成する手段は、前記第１のセルリストに含まれるセルのセル測定値及び前記第２のセルリストに含まれるセルのセル測定値を含む測定報告を生成する。前記第２のセルリストに含まれる前記セルは通常、前記第１のセルリストに含まれる前記セルと異なるが、これは必須ではない。
【０００９】
前記第１のセルリスト内のセルのセル測定値は、前記第２の測定制御コマンドの受信前及び／又は受信後に得ることができる。前記第１のセルリスト及び前記第２のセルリスト内の全てのセルの全ての測定値を含む単一の測定報告を装置によって送信することもできるし、代替的に一連の報告を送信することもできる。後者の場合、最良の候補セルのセル測定値は、好ましくは他のセルのセル測定値の前に送信される。
【００１０】
前記第１のセルリスト及び前記第２のセルリスト内の異なるセルを追跡するために、前記セルリストを装置内の別個のリストとして格納することができる。代替的に、前記リストは所望の場合、集約されても良い。
【００１１】
本発明は、１つ又は複数のセルラー通信装置と通信するように動作可能なネットワーク通信ノードであって、第１の近傍セルリストを含む第１の測定制御コマンドを出力する手段と、第２の近傍セルリストを含む第２の測定制御コマンドを出力する手段と、前記第２の測定制御コマンドを出力した後、前記第１のセルリストに含まれるが前記第２のセルリストに含まれないセルのセル測定値を含む測定報告を移動通信装置から受信する手段と、を備える、ネットワーク通信ノードも提供する。
【００１２】
前記受信される測定報告は、前記第１のセルリストに含まれるセルのセル測定値及び前記第２のセルリストに含まれるセルのセル測定値を含むことができる。
【００１３】
好ましい実施の形態では、前記ネットワーク通信ノードは、前記受信した測定報告（複数可）内の前記セル測定値を用いてハンドオーバ手順のためのターゲットネットワーク通信ノードを求める。
【００１４】
前記ネットワーク通信ノードは前記第１のセルリストに含まれるが前記第２のセルリストに含まれないセルのセル測定値を受信することができるので、該ネットワーク通信ノードは前記第２のセルリストを出力した後、前記第１のセルリストを維持することができる。
【００１５】
本発明は、対応する方法、及びプログラム可能なコンピューター装置を上記の移動装置又は上記のネットワークノードとして構成させるためのコンピューター実施可能命令を含むコンピューター実施可能命令製品も提供する。該製品は命令を保持するコンピューター読み取り可能な記録媒体又は信号を含むことができる。
【００１６】
本発明のこれらの態様及び様々な他の態様は、添付の図面を参照して例としてのみ説明される、実施形態の以下の詳細な説明から明らかとなるであろう。
【図面の簡単な説明】
【００１７】
【図１】本発明の実施形態が適用可能であるタイプの移動電気通信システムを概略的に示す図である。
【図２】図１に示すシステムの一部を形成するネットワーク基地局の構成要素を示すブロック図である。
【図３】図１に示すシステムの一部を形成する移動通信装置の構成要素を示すブロック図である。
【図４】図１に示す移動通信装置と基地局との間のデータフローを示すタイミング図である。
【発明を実施するための形態】
【００１８】
概観
図１は、移動電話３、３つの無線アクセスネットワーク５−１、５−２、及び５−３、並びに対応するコアネットワーク７−１、７−２、及び７−３を有する移動（セルラー）通信システム１の一部を概略的に示している。無線アクセスネットワーク５のそれぞれは、図１においてそれぞれＣ１、Ｃ２、及びＣ３とラベル付けされた破線の円によって示されているそれぞれのセル内の移動電話３と通信するように動作する。この実施形態では、無線アクセスネットワーク５−１はＥ−ＵＴＲＡＮアクセスネットワークであり、無線アクセスネットワーク５−２はＵＭＴＳアクセスネットワークであり、無線アクセスネットワーク５−３はＧＳＭアクセスネットワークである。この実施形態では、移動電話３は、Ｅ−ＵＴＲＡＮセル、ＵＭＴＳセル、及びＧＳＭセルと接続することができるマルチＲＡＴ装置である。示される図では、移動電話３はそれらのセルの全ての中にあり、したがって３つの無線アクセスネットワーク５のうちの任意のものと接続して、選択された無線アクセスネットワーク５、その関連するコアネットワーク７、及び電話網９を介して他のユーザー（図示せず）との通信を可能にすることができる。
【００１９】
無線アクセスネットワーク及びコアネットワーク
各無線アクセスネットワーク５が、それぞれが移動電話３に異なるサービスを提供する複数の異なるセルを動作させることができるが、この実施形態では、単純にするために、各無線アクセスネットワーク５は単一のセルを動作させると仮定する。Ｅ−ＵＴＲＡＮの場合、無線アクセスネットワーク５−１は基地局（ｅＮｏｄｅＢ又は単にｅＮＢと呼ばれる）によって形成され、移動電話３が適切なハンドオーバ決定を行うことができるようにセル測定を行うよう該移動電話３に命令するのは基地局の動作である。他の無線アクセスネットワークでは、移動電話３にセル測定を実行するように命令するための動作は、無線アクセスネットワーク又はコアネットワーク７内の何らかの他のネットワークノードの任務となる場合がある。しかしながら、説明を簡単にするために、この実施形態では、移動電話３がＥ−ＵＴＲＡＮ基地局５−１に関連付けられると仮定され、この基地局５−１の主要構成要素が図２に示されている。図示されるように、基地局５−１は、１つ又は複数のアンテナ２２を介して移動電話３に対し信号を送受信するように動作可能であると共にコアネットワークインターフェース２３を介してコアネットワーク７−１に対し信号を送受信するように動作可能である送受信機回路２１を備える。基地局５−１は、メモリ２７内に格納されているソフトウェアに従って基地局５−１の動作を制御するコントローラ２５も備える。ソフトウェアには、中でも、オペレーティングシステム３１、ハンドオーバモジュール３２、及び報告モジュール３３が含まれる。ハンドオーバモジュール３２は別のセルへの移動電話３のハンドオーバを制御するように動作可能である。報告モジュール３３は、移動電話３に、ＲＡＴ間測定を実行し、これらの測定値を規定の時間内に基地局５−１に提供するように指令するように動作可能であり、この情報を、ハンドオーバモジュール３２がハンドオーバのための最良のターゲットセルを特定するのに用いることができるようにする。
【００２０】
メモリ２７は、近傍セルデータ３４及び移動電話（ＭＴ）能力データ３５を含む様々なデータも格納する。報告モジュール３３は、近傍セルデータ３４を用いて、移動電話３に対し、測定値が得られるべきセルを特定する。報告モジュール３３はＭＴ能力データ３５を用いて、移動電話３がそれまでに測定報告を提供することが予期される適切な報告時間を計算する。
【００２１】
移動電話
図３は、図１に示す移動電話３の主要構成要素を概略的に示している。図示されるように、移動電話３は、１つ又は複数のアンテナ７３を介して無線アクセスネットワーク５に対し信号を送受信するように動作可能な送受信機回路７１を備える。図示されるように、移動電話３は、移動電話３の動作を制御し、送受信機回路７１、並びにラウドスピーカ７７、マイクロフォン７９、ディスプレイ８１、及びキーバッド８３に接続されたコントローラ７５も備える。コントローラ７５はメモリ８５内に格納されたソフトウェアモジュールに従って動作する。図示されるように、これらのソフトウェアモジュールには、中でも、オペレーティングシステム８７、測定モジュール８９、及び報告モジュール９１が含まれる。基地局５−１からのコマンドの受信に応答して、報告モジュール９１は、測定モジュール８９に所望の測定値を取得させて、該測定値を基地局５−１に送信するように動作可能である。メモリ８５は現在のセルリスト９３及び任意の前のセルリスト９５も格納する。報告モジュール９１は、最も近時に受信した近傍セルリストを現在のセルリスト９３として格納し、測定がまだ完了していない任意の前のセルリストを前のセルリスト９５として格納する。これらのリストは、測定モジュール８９が、測定値が得られるべきセルを特定するのに用いられ、かつ報告モジュールが、測定報告が基地局５−１に送信されるべきセルを特定するのに用いられる。
【００２２】
上記の説明において、理解を容易にするために基地局５−１及び移動電話３の双方は様々な別個のソフトウェアモジュールを有するものとして説明されている。これらのソフトウェアモジュールは、たとえば既存のシステムが本発明を実施するように変更された或る特定の用途の場合このように提供され得るが、他の用途、たとえば本発明の特徴を始めから念頭において設計されたシステムでは、これらのモジュールの機能を単一のモジュールによって実行することもできるし、オペレーティングシステム又はコード全体に組み込むこともできるので、これらのモジュールは別個のエンティティとして区別可能でない場合がある。
【００２３】
動作
次に、本実施形態の動作を図４に示すタイミング図を参照して説明する。図示されるように、基地局５−１がステップｓ１において、１つ又は複数の指定された報告時間（報告間隔reporting_intervalによってコマンドにおいて指定される）に近傍セル（コマンドnc_listにおいて指定される）の測定値を基地局５−１に報告するように移動電話３に要求する測定制御コマンドを該移動電話３に送信すると、プロセスが始動する。基地局５−１は移動電話３に関して格納した能力データ３５に基づいて報告間隔を求め、予め格納された近傍セルデータ３４に基づいて、近傍セルリストに含めるセルを求める。移動電話３は、このコマンドの受信に応答して、報告間隔を記録し、近傍セルを現在のセルリスト９３として格納する。この例では、ステップｓ３において示すように、このコマンドが移動電話３によって受信される時点において、移動電話３はビジー状態にあり｛たとえば基地局５−１は、移動電話３のユーザーが一方的に（すなわちネットワークの知識を有することなく）選択したマルチメディアブロードキャストマルチキャストサービス（ＭＢＭＳ）リソースに短すぎる報告間隔を提供していた場合があり、このため移動電話は周波数切り換え遅延に起因して報告間隔を十分活用することができない｝、このため所望の測定値を取得して第１の報告機会によってそれらを基地局５−１に報告することができない。したがって、ステップｓ５において、移動電話３は第１の報告機会においてセル情報を報告しない。ステップｓ７に示されるように、この場合、基地局５−１は、元のセルリスト（nc_list）内のセルが移動電話３によって使用不可能であるという現在の仮定を維持する。その結果、基地局５−１はステップｓ９において、新たなnc_list及び同じ報告間隔を指定する別の測定制御コマンドを送信する。基地局５−１は元の近傍リストを前のセルリストとして近傍セルデータ３４内に格納し、新たなnc_listを現在のセルリストとして近傍セルデータ３４内に格納する。
【００２４】
この実施形態では、移動電話３は、新たな測定制御コマンドを受信すると、元の近傍リストを破棄するのではなく前のセルリスト９５にコピーし、そして新たなコマンドと共に受信された新たな近傍セルリストを現在のセルリスト９３に格納する。次に、移動電話３は、ステップｓ１１において、現在のセルリスト９３内で特定されたセルの測定値、及び前のセルリスト９５内で特定されたセルの測定値を得る。次に、ステップ１３において、得られた測定値を測定報告において基地局５−１に送信する。ステップｓ１５において、基地局５−１は近傍セルデータ３４内の異なるセルのセル測定値データを格納し、次に、この情報を用いて、ハンドオーバを実行するべきか否か、及び実行するべきである場合、いずれのターゲットセルに対して実行するべきかを決定する。
【００２５】
このため、本実施形態は、既存の標準規格に対し変更を行うことを必要とする。特に、標準規格は、移動電話３が元のセルリストにあるセルを検討し続けることを可能にするよう適合しなくてはならない。さらに、標準規格は、基地局５−１が、もはや現在の近傍セルリスト内にないセルの測定値を受け入れ、考慮することを可能にするように適合しなくてはならない。標準規格への影響を最小限にするために、これらの変更は比較的短い時間期間、たとえば移動電話３が元のセルリストについての全ての測定を完了したか、完了を試みた時点までに制限することもできる。
【００２６】
変更及び代替
詳細な実施形態を上記で説明した。当業者であれば理解するように、上記の実施形態に対し多数の変更及び代替を行う一方でそこで具現化される本発明から依然として利益を受けることができる。次に、例示としてのみ、複数のこれらの代替及び変更について説明する。
【００２７】
上記の実施形態では、移動電話は前の測定コマンド及び現在の測定コマンドの双方において特定されたセルを報告することが可能であった。移動電話が現在属している適用可能な無線アクセスネットワーク５に依拠して、各測定機会においてその測定値を報告することができるセルの数を制限することもできる。この場合、移動電話３は複数の連続した報告機会にわたって測定値を報告することになる。好ましくは、移動電話は最良の候補セルを最初に報告するが、代わりに、より早いコマンドからのセルを最初に報告して、可能な限り迅速に不一致を解消することもできる。
【００２８】
上記の実施形態では、基地局は現在の近傍セルリスト及び前のセルリストの双方を維持していた。当業者であれば理解するように、これは必須ではない。基地局は現在のセルリストの記録を保持し、現在のセルリストにないセルに関して移動電話からセル測定値が受信された場合は、そのリストに対しセルを追加するように構成することもできる。いずれの場合でも、基地局（又は他のネットワークノード）が現在のセルリストにないセルの測定値を受け入れ、これらの測定値を用いて最良のハンドオーバターゲットを求めるように構成される限り、既存のシステムに伴う問題に対処することができる。
【００２９】
上記の実施形態では、基地局が測定コマンドを発行し、ハンドオーバについて決定を行う役割を果たしていた。当業者であれば理解するように、この機能は何らかの他のネットワークノードによって他の無線アクセス技術で実行することもできる。
【００３０】
上記の実施形態では、移動電話は現在のセルリスト及び前のセルリストを維持していた。当業者であれば理解するように、移動電話がネットワークノードからさらに遅れをとる場合、移動電話は２つ以上前のセルリストを維持することもできる。
【００３１】
上記の実施形態では、複数のソフトウェアモジュールが説明された。当業者であれば理解するように、ソフトウェアモジュールはコンパイル済みの形態でも、未コンパイルの形態でも提供することができ、コアネットワーク、無線ネットワーク、又は移動電話に、コンピューターネットワークを介した信号として供給することもできるし、記録媒体上に提供することもできる。さらに、このソフトウェアの一部又は全てによって実行される機能は、１つ又は複数の専用ハードウェア回路を用いて実行することができる。しかしながら、ソフトウェアモジュールの使用によって、基地局５及び移動電話３の機能を更新するために該基地局５及び該移動電話３を更新するのが容易になるため、ソフトウェアモジュールの使用が好ましい。
【００３２】
上記の実施形態では、複数の無線アクセスネットワークと通信する移動電話が提供された。当業者であれば理解するように、本発明はラップトップコンピューター、携帯情報端末、又は他のハンドヘルドのポータブルコンピューター装置等の他のタイプのユーザー機器（ＵＥ）にも適用可能である。
【００３３】
上記の実施形態では、各無線アクセスネットワークは自身のコアネットワーク７に接続されていた。当業者であれば理解するように、セルはアーキテクチャを共有するネットワークの一部とすることができ、該ネットワークでは、同じセルを用いるいくつかのコアネットワーク７が存在することもできるし、同じコアネットワークと接続して動作する（異なるＲＡＴの）いくつかのセルが存在することもできる。
【図１】
0005652828.tif 000002
【図２】
0005652828.tif 000003
【図３】
0005652828.tif 000004
【図４】
0005652828.tif 000005